(57)【要約】      （修正有）【課題】クラブ・フェースに近接する１つまたは複数のインパクトに影響を与えるフレクシャル・ジョイントを有するゴルフ・クラブ・ヘッドを提供する。【解決手段】中空のゴルフ・クラブ・ヘッド１０は、内側表面および外側表面を含み、ゴルフ・クラブ・ヘッドは、ゴルフ・ボールをインパクトするように動作可能なストライク・フェース１２と、ストライク・フェースの周囲から後方に延在する本体部１４と、外側表面から内側表面へ延在するフレクシャー・ジョイント５２とをさらに備える。フレクシャー・ジョイントは、前方インパクト表面４２と、インパクト表面と接触している反作用表面４４とを含み、インパクトの間に、インパクト表面は、反作用表面に沿って並進し、ストライク・フェースの一部分の制御された撓みを可能にする。【選択図】図１０
2020192332.tif 000002
【特許請求の範囲】
【請求項１】
内側表面および外側表面を有する中空のゴルフ・クラブ・ヘッドであって、
ゴルフ・ボールをインパクトするように動作可能なストライク・フェースと、
前記ストライク・フェースの周囲から後方に延在する本体部であって、前記ストライク・フェースは、前記ストライク・フェースと前記ゴルフ・ボールとの間のインパクトに応答して、前記本体部の一部分に対して局所的に変位する、前記本体部と、
前記外側表面から前記内側表面へ延在するフレクシャー・ジョイントと、を備え、
前記フレクシャー・ジョイントは、
前方インパクト表面と、
前記インパクト表面と接触した状態にある反作用表面と、を含み、
前記インパクトに応答して、前記インパクト表面は、前記反作用表面に沿って並進して前記反作用表面を弾性的に変位させ、前記ストライク・フェースのインパクトにより誘発される変位の増加を可能にする、ゴルフ・クラブ・ヘッド。
【請求項２】
前記反作用表面は、前記インパクト表面と前記反作用表面との間の並進の量に比例する反作用力を、前記インパクト表面に付与する、請求項１に記載のゴルフ・クラブ・ヘッド。
【請求項３】
前記本体部および前記ストライク・フェースの両方は、少なくとも部分的に１つまたは複数の金属合金から形成されており、
前記インパクト表面および前記反作用表面のうちの少なくとも１つは、ポリマーによって覆われている、請求項１に記載のゴルフ・クラブ・ヘッド。
【請求項４】
前記ポリマーは、ポリオキシメチレンおよびポリテトラフルオロエチレンのうちの少なくとも１つを含む、請求項３に記載のゴルフ・クラブ・ヘッド。
【請求項５】
前記ストライク・フェースの変位は、前記フレクシャー・ジョイントからの距離の増加とともに減少する、請求項１に記載のゴルフ・クラブ・ヘッド。
【請求項６】
前記本体部は、ソールおよびクラウンを画定しており、
フレクシャー・ジョイントは、前記ストライク・フェースの前記周囲に対しておおよそ平行の方向に、前記ソールの一部分を横切って延在している、請求項１に記載のゴルフ・クラブ・ヘッド。
【請求項７】
前記本体部は、ソールおよびクラウンを画定しており、
前記フレクシャー・ジョイントは、前記ストライク・フェースの前記周囲に対しておおよそ平行の方向に、前記クラウンの一部分を横切って延在している、請求項１に記載のゴルフ・クラブ・ヘッド。
【請求項８】
前記反作用表面は、前記ストライク・フェースによって画定される平面の約４０ｍｍ以内にある位置において、前記外側表面に接する、請求項１に記載のゴルフ・クラブ・ヘッド。
【請求項９】
前記反作用表面は、斜めの角度で前記外側表面に接する、請求項１に記載のゴルフ・クラブ・ヘッド。
【請求項１０】
前記内側体積の中に延在する機械的なストップをさらに備え、
前記機械的なストップは、前記反作用表面に対する前記インパクト表面の許容可能な並進の量を制限するように動作可能である、請求項１に記載のゴルフ・クラブ・ヘッド。
【請求項１１】
前記ストライク・フェースは、ボール打撃表面と、前記ボール打撃表面の反対側にある後部表面と、を画定しており、
前記本体部は、前記ストライク・フェースの前記後部表面と接触した状態にある反作用壁部を含み、
前記ストライク・フェースの前記後部表面は、前記フレクシャー・ジョイントの前記前方インパクト表面であり、
前記反作用壁部は、前記フレクシャー・ジョイントの前記反作用表面を形成している、請求項１に記載のゴルフ・クラブ・ヘッド。
【請求項１２】
前記反作用壁部は、前記後部表面の面積の約３０％から約６０％と接触した状態にある、請求項１１に記載のゴルフ・クラブ・ヘッド。
【請求項１３】
前記本体部は、クラウンおよびソールを画定しており、
前記クラウンおよび前記ソールのうちの一方は、前記ストライク・フェースと一体的に形成されており、
前記クラウンおよび前記ソールのうちの他方は、前記反作用壁部と一体的に形成されている、請求項１１に記載のゴルフ・クラブ・ヘッド。
【請求項１４】
前記反作用壁部は、ポリマー材料から形成されており、
前記ストライク・フェースは、金属材料から形成されている、請求項１３に記載のゴルフ・クラブ・ヘッド。
【請求項１５】
混合材料ゴルフ・クラブ・ヘッドであって、
ゴルフ・ボールをインパクトするように動作可能なボール打撃表面と、前記ボール打撃表面の反対側の後部表面と、を有するストライク・フェースと、
前記ゴルフ・クラブ・ヘッドの上側部分を形成するクラウンと、
前記ゴルフ・クラブ・ヘッドの下側部分を形成するソールであって、前記クラウンおよび前記ソールは、それらの間に内部グラブ・ヘッド体積を画定する、前記ソールと、
前記ストライク・フェースの前記後部表面と同一平面上に接触した状態にある反作用壁部と、を備え、
前記クラウンおよび前記ソールのうちの一方は、前記ストライク・フェースと一体的に形成されており、
前記クラウンおよび前記ソールのうちの他方は、前記反作用壁部と一体的に形成されており、
前記ストライク・フェースは、金属から形成されており、
前記反作用壁部は、ポリマーから形成されており、
前記ストライク・フェースと前記ゴルフ・ボールとの間のインパクトに応答して、前記ストライク・フェースの前記後部表面は、同一平面上の接触を維持しながら、前記反作用壁部に沿ってスライド可能に並進する、混合材料ゴルフ・クラブ・ヘッド。
【請求項１６】
前記ストライク・フェースを形成する第１のコンポーネントと、
前記反作用壁部を形成する第２のコンポーネントと、をさらに備え、
前記第１のコンポーネントは、前記クラウンが前記ソールに接する前記クラブ・ヘッドの周囲の周りにおいて、前記第２のコンポーネントに接着されている、請求項１５に記載の混合材料ゴルフ・クラブ・ヘッド。
【請求項１７】
前記第２のコンポーネントは、前記周囲の周りにおいて、前記第１のコンポーネントの内部に入れ子にされている、請求項１６に記載の混合材料ゴルフ・クラブ・ヘッド。
【請求項１８】
前記ストライク・フェースの前記後部表面に接触した状態にある前記反作用壁部の表面は、ポリオキシメチレンおよびポリテトラフルオロエチレンのうちの少なくとも一方を含むポリマーから形成されている、請求項１５に記載の混合材料ゴルフ・クラブ・ヘッド。
【請求項１９】
前記反作用壁部は、前記後部表面の面積の約３０％から約６０％と接触した状態にある、請求項１５に記載の混合材料ゴルフ・クラブ・ヘッド。
【請求項２０】
前記ストライク・フェースは、前記インパクトに応答して前記反作用壁部を弾性的に変位させる、請求項１５に記載の混合材料ゴルフ・クラブ・ヘッド。
【発明の詳細な説明】
【技術分野】
【０００１】
関連出願の相互参照
本出願は、２０１６年１１月２２日出願の米国特許仮出願６２／４２５，５５４号の優先権の利益を主張するものであり、上記出願に開示される内容は参照によって本明細書に組み込まれる。
【０００２】
本発明は、概して、クラブ・フェースに近接する１つまたは複数のインパクトに影響を与えるフレクシャル・ジョイントを有するゴルフ・クラブ・ヘッドに関する。
【背景技術】
【０００３】
現代のウッド・タイプのゴルフ・クラブ・ヘッドは、例えば、クラブ・ヘッドの重心の場所を調節するために、質量を除去するかもしくは質量を所望の場所に再配置することによって、および／または、より良好なゴルフ打ち出し特質のためのストライク・フェース応答を調節するために、チャネルもしくはスロットなどのような、１つもしくは複数の要素を導入することなどによって、その性能を強めるかまたは改善させるために開発されてきた。しかし、そのような改善は、構造的な劣化または故障なしに適当なインパクト応力に耐えるためのゴルフ・クラブ・ヘッドの能力、および、一貫したインパクト結果を提供するように一貫して製造される能力と、バランスをとられなければならない。
【図面の簡単な説明】
【０００４】
【図１】フレクシャー・ジョイントを有するゴルフ・クラブ・ヘッドの実施形態の概略下側正面斜視図である。
【図２】線２−２に沿って見た、図１のゴルフ・クラブ・ヘッドの概略断面図である。
【図３】フレクシャー・ジョイントを有する実施形態のゴルフ・クラブ・ヘッドの概略断面図である。
【図４】変形した状態および変形していない状態で示されている、図２のゴルフ・クラブ・ヘッドの概略部分断面図である。
【図５】フレクシャー・ジョイントと、フェースの撓みを制限するための機械的なストップとを有する、実施形態のゴルフ・クラブ・ヘッドの概略断面図である。
【図６】湾曲した前方インパクト表面を備えたフレクシャー・ジョイントを有する実施形態のゴルフ・クラブ・ヘッドの概略断面図である。
【図７】ボールおよびソケット−タイプのフレクシャー・ジョイントを有する実施形態のゴルフ・クラブ・ヘッドの概略断面図である。
【図８】フレクシャー・ジョイントを備えた実施形態のゴルフ・クラブ・ヘッドの概略断面図である。
【図９】変形した状態および変形していない状態で示されている、図８のゴルフ・クラブ・ヘッドの概略部分断面図である。
【図１０】フレクシャー・ジョイントと、フェースの撓みを制限するための機械的なストップとを有する、実施形態のゴルフ・クラブ・ヘッドの概略断面図である。
【図１１】湾曲した前方インパクト表面を備えたフレクシャー・ジョイントを有する実施形態のゴルフ・クラブ・ヘッドの概略断面図である。
【図１２】ボールおよびソケット−タイプのフレクシャー・ジョイントを有する実施形態のゴルフ・クラブ・ヘッドの概略断面図である。
【図１３】後方反作用表面を横切ってポリマー製のコーティングを有する、図３に図示されているジョイントと同様のフレクシャー・ジョイントの概略拡大断面図である。
【図１４】フレクシャー・ジョイントを備えた実施形態のゴルフ・クラブ・ヘッドの概略断面図である。
【図１５】機械的なストップを有するフレクシャー・ジョイントを備えた実施形態のゴルフ・クラブ・ヘッドの概略断面図である。
【図１６】ポリマー製のクラウンおよび反作用壁部、並びに、金属製のソールおよびストライク・フェースを有する、ゴルフ・クラブ・ヘッドの概略側面図である。
【図１７】図１６のゴルフ・クラブ・ヘッドの概略断面図である。
【図１８】変形した状態および変形していない状態で示されている、図１７のゴルフ・クラブ・ヘッドの概略部分断面図である。
【図１９】ポリマー製のソールおよび反作用壁部、並びに、金属製のクラウンおよびストライク・フェースを有する、ゴルフ・クラブ・ヘッドの概略断面図である。
【発明を実施するための形態】
【０００５】
下記に議論されている本実施形態は、ゴルフ・ボールをインパクトするように動作可能なストライク・フェースと、ストライク・フェースの周囲から後方に延在する本体部と、ストライク・フェースに近接する本体部を少なくとも部分的に通って延在するフレクシャー・ジョイントとを有する、ゴルフ・クラブ・ヘッドに関する。フレクシャー・ジョイントは、本体部の中の物理的な非連続性であり、より後方に位置付けされている反作用表面と接触した状態になっている前方インパクト表面を含む。インパクトの間に、インパクト表面および反作用表面は、互いに対して並進し、ジョイントの最も近くのフェースの部分において、より大きいインパクト撓みを可能にする。非常に一般的な意味において、フレクシャー・ジョイントは、破壊の前により大きい量の弾性的な歪みを可能にしながら、フェースの局所的な部分に関して、剛性／本体部支持を減少させる。そのうえ、フレクシャー・ジョイントの設計は、滑らかな／きれいな／連続的な表面を組み込む同等な設計において応力／歪み応答をチューニングする、より容易な手段を可能にする。チューニング可能なジョイント・パラメーターは、例えば、設置、長さ、配向、最大許容可能な変位、および応力／歪み応答（本体部の外側表面と内側表面との間のスプリットの角度および幾何学形状を介して）を含む。
【０００６】
クラブ・フェースの約４０ｍｍ以内に、クラブ・フェースに対しておおよそ平行に、クラウンの中にフレクシャー・ジョイントを含む、いくつかの実施形態では、クラブ・ヘッドは、表示されているクラブ・ヘッドのスタティック・ロフト（従来の慣行にしたがって測定される）よりも大きいロフト角で（水平方向の地面に対して）、ゴルフ・ボールを打ち出すことが可能である。また、そのような実施形態は、フレクシャー・ジョイントなしの比較的に設計されたクラブ・ヘッドよりも大きいスピン・レートで（すなわち、約５〜１５％大きい）、ゴルフ・ボールを打ち出すことが可能である。逆に、フレクシャー・ジョイントがソールの中に位置付けされている場合には、クラブ・ヘッドは、表示されているクラブ・ヘッドのスタティック・ロフトよりも小さいロフト角で、および、ジョイントなしの比較的に設計されたクラブ・ヘッドよりも低いスピン・レートで（すなわち、約５〜１５％低い）、ゴルフ・ボールを打ち出すことが可能である。
【０００７】
「ａ」、「ａｎ」、「ｔｈｅ」、「少なくとも１つの」、および「１つまたは複数の」は、アイテムの少なくとも１つが存在しているということを示すために入れ替え可能に使用されており、文脈がそうでないことを明確に示していない限り、複数のそのようなアイテムが存在する可能性がある。添付の特許請求の範囲を含む、本明細書におけるパラメーターの（例えば、量または条件の）すべての数値は、「約」が数値の前に実際にあるか否かにかかわらず、すべての場合において、「約」という用語によって修飾されているものと理解されるべきである。「約」は、記載される数値が多少の不正確さを許容することを示す（精密な値にある程度近似して；値に対しておおよそまたは合理的に近接して；ほぼ）。「約」によって提供される不正確さが、当技術分野においてこの通常の意味とは別の意味で理解されない場合には、本明細書において使用されるような「約」は、少なくとも、このようなパラメーターの通常の測定方法および使用方法から生じ得る変動を示す。さらに、範囲の開示は、全範囲内のすべての値およびさらに分割された範囲の開示を含む。範囲内のそれぞれの値および範囲の端点は、本明細書では別々の実施形態としてすべて開示されている。「ｃｏｍｐｒｉｓｅｓ（備える）」、「ｃｏｍｐｒｉｓｉｎｇ（備える）」、「ｉｎｃｌｕｄｉｎｇ（含む）」、および「ｈａｖｉｎｇ（有する）」という用語は、包括的であり、したがって、記載されているアイテムの存在を特定しているが、他のアイテムの存在を排除するものではない。本明細書の中で使用されるとき、「または」という用語は、列挙されたアイテムのうちの１つまたは複数の任意のおよびすべての組み合わせを含む。「第１の」、「第２の」、「第３の」などの用語が、さまざまなアイテムを互いに区別するために使用されるときには、これらの表記は、単に便宜上のものに過ぎず、アイテムを限定するものではない。
【０００８】
本明細書で説明されているように、ゴルフ・クラブの「ロフト」または「ロフト角」という用語は、任意の適切なロフトおよびライ角マシンによって測定されるような、クラブ・フェースとシャフトとの間に形成される角度を表している。
【０００９】
本明細書および特許請求の範囲において、「第１の」、「第２の」、「第３の」、「第４の」などの用語がある場合、それらは、類似の要素を区別するために使用されるものであり、必ずしも特定の順序または時系列的順序を説明するために使用されるものではない。そのように使用される上記用語は、適宜入れ替え可能であり、本明細書で説明される実施形態は、例えば、ここに説明または図示されたものと異なる順序でも実施可能であることを理解されたい。さらに、「含む」および「有する」という用語、並びにこれらの類義語は、非排他的包含を含めることを意図しており、列挙される要素を含むプロセス、方法、システム、物品、機器または装置は、必ずしもこれらの要素に限定されるわけではなく、明示的に列挙されていない他の要素、またはこのようなプロセス、方法、システム、物品、機器もしくは装置に本来備わっている他の要素が含まれていてもよい。
【００１０】
明細書および特許請求の範囲における「左」、「右」、「前」、「後」、「上部」、「底部」、「上」、「下」などという用語は、それがある場合には、水平方向の地面の上のアドレス位置に保持されたゴルフ・クラブ、並びに、所定のロフト角およびライ角に保持されたゴルフ・クラブを一般的に参照して、説明目的のために使用されているが、必ずしも、永続的な相対的位置を説明することが意図されているわけではない。そのように使用されている用語は、適宜入れ替え可能であり、本明細書で説明されている装置、方法、および／または製品の実施形態が、例えば、本明細書に図示されているかまたはその他の方法で説明されているもの以外の他の配向で動作することができるようになっているということが理解されるべきである。
【００１１】
「連結する」「連結される」「連結」「連結している」などの用語は、広義に解釈されるべきであり、２つ以上の要素を機械的に、または別の方法で結合することを指す。（機械的または別の方法による）連結は、例えば、永続的、半永続的、または瞬間のみといった任意の期間にわたってよい。
【００１２】
他の特徴および態様は、以下の詳細な説明および添付の図面を考慮することによって、明らかになることとなる。本開示の任意の実施形態が詳細に説明される前に、本開示は、その適用において、以下の説明に記載されているような、または、図面に図示されているような、コンポーネントの詳細または構築および配置に限定されないということが理解されるべきである。本開示は、他の実施形態をサポートすることが可能であり、さまざまな方式で実践または実施され得る。特定の実施形態の説明は、本開示の趣旨および範囲の中に入るすべての修正例、均等物、および代替例をカバーすることから、本開示を限定することを意図していないということが理解されるべきである。また、本明細書で使用されている表現法および専門用語は、説明の目的のためのものであり、限定するものとして見なされるべきではないということが理解されるべきである。
【００１３】
図面を参照すると、図面において、同様の参照番号は、さまざまな図の中の同様のまたは同一のコンポーネントを識別するために使用されており、図１は、ゴルフ・クラブ・ヘッド１０の下側正面図を概略的に図示しており、ゴルフ・クラブ・ヘッド１０は、例えば、図２に示されているような、中空の内部クラブ・ヘッド体積１６を画定するように協働する、ストライク・フェース１２および本体部１４を含む。
【００１４】
ストライク・フェース１２（「フェース１２」）は、外向きのボール打撃表面１８、外周囲２０、および後部表面２２を含み、ボール打撃表面１８は、クラブ・ヘッドが従来のアーチ形の様式でスイングされるときに、ゴルフ・ボールをインパクトするように動作可能であり、後部表面２２は、ボール打撃表面１８の反対側にある。示されているように、ボール打撃表面１８は、比較的に平坦になっており、少なくともフェース１２の大部分を占有している。フェース１２の外周囲２０は、クラブ・ヘッド１０の外側プロファイルがボール打撃表面１８の実質的に均一なプロファイルから本体部１４の中へ後方に最初に移行し始める、クラブ３６の前方部分の上のポイントとして画定され得る。別の言い方をすれば、外周囲２０は、ボール打撃表面１８が１つだけの基準平面（任意の溝部のプロファイルを除く）から最初に逸脱するポイントに位置付けされ得るか、または、ボール打撃表面１８の曲率半径が、そうでなければ一定のフェース湾曲（すなわち、バルジ／ロール半径によって画定される）から最初に減少し始めるポイントに位置付けされ得る。
【００１５】
ボール打撃表面１８は、概して、アドレス位置に保持されているときに地面に対してスタティック・ロフト角で傾けられている。アーチ形の様式でスイングされ、静止したゴルフ・ボールをインパクトするときに、クラブ・ヘッド運動の動力学、および、インパクト応答の動力学は、地面に対して、そのクラブに関する公称ロフト角とは異なる初期の軌跡角度で、インパクトされたゴルフ・ボールを打ち出す可能性がある。この初期の軌跡角度は、ダイナミック・ロフト角と称される。クラブ・ヘッド運動の動力学、および、インパクト応答の動力学は、打ち出されたボールに付与されるスピンの量（すなわち、スピン軸線の周りの回転数／分）にさらに影響を与える可能性がある。本明細書で説明されている設計は、インパクトされたボールのダイナミック・ロフトおよびスピン・レートの両方に影響を与えようとして、インパクト応答の動力学に影響を及ぼすことが意図されている。
【００１６】
図２を参照すると、本体部１４は、概して、ストライク・フェース１２の周囲２０から後方に延在するクラブ・ヘッド１０の部分である。本体部１４は、外側表面２４および内側表面２６を含み、外側表面２４は、クラブ・ヘッド１０の外側輪郭を実質的に形成しており、内側表面２６は、内部体積１６に直接的に当接している。一般に、本技術は、主に、ウッド・スタイルのクラブとともに使用され得、ウッド・スタイルのクラブは、それに限定されないが、ドライバー、フェアウェイ・ウッド、ハイブリッド・アイアン、またはレスキュー・クラブなどを含む。これらのクラブ・スタイルのすべてに共通しているのは、実質的に閉じた内部クラブ・ヘッド体積１６を画定する、概して薄い壁のシェルのような構成であるということである。
【００１７】
引き続き図１および図２を参照すると、一般に、本体部１４は、方向的に画定された多くの部分／領域を含むさまざまな態様を含むことが可能である。例えば、ウッド・スタイルのクラブの場合、本体部１４は、シャフト・アダプターおよび／またはゴルフ・クラブ・シャフト（図示せず）を受け入れるように動作可能なホーゼル３０、上部部分またはクラウン３２、底部部分またはソール３４、ストライク・フェース１２に当接する前部部分３６、前部部分３６の反対側の後部部分３７、ホーゼル３０に近接するヒール３８、および、ヒール３８の反対側のトウ３９を含む。いくつかの実施形態では、クラウン３２は、クラブ・ヘッド１０が水平方向の地面の上に所定のロフトおよびライ角で保持されるときに、概して、垂直接線を有する周囲ラインにおいてソール３４と接することが可能である。
【００１８】
フェース１２、本体部１４、およびホーゼル３０は、単一のピースとして形成され得るか、または、組み立てプロセスの間に一緒に接合され得る別々のピースとして形成され得る。別段の記述がない限り、フェース１２、本体部１４、および／またはホーゼル３０を形成するために使用される材料は、任意の特定の構成に限定されるべきでない。例えば、１つの実施形態では、ストライク・フェース１２および本体部１４の両方は、金属から形成され得るが、しかし、それらは、異なる金属または合金をそれぞれ含むことが可能であり、溶接プロセスを介して接合され得る。別の実施形態では、ストライク・フェース１２および本体部１４は、同じ金属から形成され得る。さらに別の実施形態では、ストライク・フェース１２および本体部１４の前部部分３６は、１つまたは複数の金属から形成され得、一方、本体部１４の残りの部分の大部分は、異なる金属から、または、ポリマーからも形成され得、それは、次いで、前部部分３６に接着される。
【００１９】
一般に、本ゴルフ・クラブ・ヘッド１０は、本体部１４の上に、または本体部１４とフェース１２との間に、１つまたは複数のインパクトに影響を与えるフィーチャーを含み、それは、フェース１２によるインパクトに続くゴルフ・ボールの打ち出し特性に影響を及ぼすように動作可能である。本設計において、インパクトに影響を与えるフィーチャーは、１つまたは複数のフレクシャー・ジョイント４０を含むことが可能であり、１つまたは複数のフレクシャー・ジョイント４０は、インパクトの間のストライク・フェース１２の動的な曲げ／屈曲の増加または変更を提供するように設計されている。下記に議論されることとなるように、フェースに対するフレクシャー・ジョイントの効果は、ボール速度、初期の打ち出し角度、および／またはボール・スピン・レートに影響を与えることによって、ゴルフ・クラブの性能特質を改善させることが可能であり、一方、中心を外れたインパクトに関してより大きい寛容性も提供する。一般に、フレクシャー・ジョイント４０の形状、場所、および最大許容可能な撓みは、ジョイント４０のインパクトに影響を与える効果を制御する際の主要因子である。
【００２０】
非常に一般的な意味において、本明細書で説明されているフレクシャー・ジョイントは、同等のきれいな／滑らかな本体部設計よりも制御されたチューニング可能な様式で、フェース１２がインパクト時に降伏することを可能にする。フェース１２が、リジッドな本体部として近似される場合には、フレクシャー・ジョイント４０は、まさに車の中のクランプル・ゾーンのように動作することが可能である。より具体的には、いくつかの実施形態では、フレクシャー・ジョイント４０は、本体部１４の一部分の座屈剛性を減少させる役割を効果的に果たし、したがって、フェースがインパクトの間に弾性的に降伏することを可能にする。そのような効果は、外周囲２０の周りに、可変の剛性として現れることが可能である。
【００２１】
下記に説明されている実施形態のほとんどにおいて、フレクシャー・ジョイント４０は、具体的には、クラブ・ヘッド１０の中の非連続性を含み、それは、ゴルフ・ボールとストライク・フェース１２との間のインパクトに直接的に応答して、クラブ・ヘッド１０の２つの隣接する部分が互いに対して並進することを可能にする。実施形態の多くにおいて、非連続性は、物理的な非連続性である（すなわち、外側表面（例えば、外側表面２４）から完全に通って内側体積１６へ延在する破断が、クラブ・ヘッド１０の中に存在している場合）。しかし、他の実施形態では、この物理的な非連続性は、内部体積１６の中への破片または液体の侵入を阻止する目的のためだけに、比較的により軟質のエラストマー材料によって充填され得る。それらの実施形態では、クラブ・ヘッド１０の中の物理的な非連続性は、材料非連続性として、より正確に説明され得る。
【００２２】
一般に、フレクシャー・ジョイント４０は、前方インパクト表面４２を含むことが可能であり、前方インパクト表面４２は、より後方に位置付けされている反作用表面４４とスライド可能に接触した状態になっている。前方インパクト表面４２は、金属製の分離部分４６を通して、ボール打撃表面１８にリジッドに連結され得る。ストライク・フェース１２がボールに接触するときに、結果として生じるインパクト力は、フェース１２が内向きに／クラブ・ヘッド１０の後部部分３７に向けて屈曲するように促す。インパクト力は、フェース１２から、分離部分４６を通して、フレクシャー・ジョイント４０のインパクト表面４２へ伝播することが可能である。クラブ・ヘッド１０の非連続性、および、ジョイント４０の幾何学形状に起因して、伝えられたインパクト力は、インパクト表面４２が反作用表面４４に沿って弾性的に並進することを引き起こすことが可能である。この相対的な表面並進は、次いで、反作用表面４４が邪魔にならないように避けるように促されるので、本体部１４の中に結果として生じる横断方向の弾性的な歪みを引き起こすことが可能である。インパクト時にボールが弾性的に圧縮し、次いで跳ね返るのとほぼ同じ方式で、同様の跳ね返りが、次いで、フレクシャー・ジョイント４０を横切って起こり得る。より具体的には、初期の弾性的な荷重に続いて、反作用表面４４は、次いで、その弾性的な歪み（および／または、本体部の連結された部分によって経験される歪み）を解放してインパクト表面４２に戻し、フェース１２がその元の位置に戻るように促すことが可能である。
【００２３】
いくつかの実施形態では、フレクシャー・ジョイント４０は、ボールに付与されるスピンの量に影響を及ぼしながら、インパクトの間のボール打撃表面のダイナミック・ロフトを変化させる実用的な効果を有することが可能である（すなわち、クラブ・ヘッド１０のスタティック・ロフトに対して）。これらの効果は、概して、フェース１２の周囲２０の周りの本体部の不均一な座屈剛性によって引き起こされるフェース１２の不均一な屈曲／変位に起因する（すなわち、ジョイント４０の物理的な非連続性は、ジョイント４０のより遠位の部分よりも、ジョイントの近くにおいて、比較的により低い剛性を結果として生じさせる）。次いで、フェース１２のこの不均一な屈曲／変位は、インパクト時にボール打撃表面１８を再配向させる動作可能な効果を有している。単一のジョイント４０を備えたクラブ・ヘッド１０に関して、ジョイント４０がソール３４の中に位置付けされている場合には、ボール打撃表面１８は、インパクト時に（公称スタティック・ロフトに対して）動的にディロフトされ得（ｄｙｎａｍｉｃａｌｌｙ  ｄｅｌｏｆｔｅｄ）、比較的に少ないスピンが、ボールに付与されることとなる。逆に、ジョイント４０がクラウン３２の中に位置付けされている場合には、ロフトは、インパクト時に動的に増加させられ得、比較的に多いスピンが、ボールに付与されることとなる。
【００２４】
フェース１２がインパクト時により多く屈曲／変位することを可能にすることによって、フレクシャー・ジョイント４０は、また、従来のヘッドと比較して、より小さい程度のボールの変形を結果として生じさせることが可能である。そのようなインパクト応答は、より大きいインパクト効率、並びに、インパクトの間のボールへのより大きいエネルギーおよび速度の伝達を実現することを支援することが可能である。ボールおよびフェースの固有周波数に応じて、フレクシャー・ジョイント４０および増加したフェース運動は、また、インパクト時間（すなわち、ボールがインパクトの間にボール打撃表面１８と接触した状態になっている時間）の変化を引き起こすことが可能である。一般に、より長いインパクト時間は、インパクトの間のボールへのより大きいエネルギーおよび速度の伝達を結果として生じさせる傾向があり得る。ボールおよびフェースの周波数応答が十分にマッチされている場合には、建設的な共振は、「トランポリン」効果の増加を結果として生じさせることが可能であり、それは、インパクトの間のボールへのより大きいエネルギーおよび速度の伝達を結果として生じさせることが可能である。
【００２５】
上述のように、ジョイント４０の場所および配向は、その最終的な効果に対して顕著な影響を有している。本明細書で説明されている例のほとんどにおいて、フレクシャー・ジョイント４０は、ストライク・フェース１２の十分に近くに位置付けされており、インパクト力がより容易にまたは直接的に前方インパクト表面４２に受け止められることを可能にし、また、ボール打撃表面１８のより良好な撓みを可能にする。いくつかの実施形態では、ジョイントの最も前方の部分は、長さ４８を横切るそれぞれのポイントにおいて、フェース１２の、および／または、ボール打撃表面１８のベスト・フィットであるロフト平面Ｌの、特定の最大許容範囲または距離ｄ１の中に位置決めされ得る。いくつかの実施形態では、この最大許容範囲ｄ１は、最大で約５０ｍｍ、約４９ｍｍ、４８ｍｍ、４７ｍｍ、４６ｍｍ、４５ｍｍ、４４ｍｍ、４３ｍｍ、４２ｍｍ、４１ｍｍ、４０ｍｍ、３９ｍｍ、３８ｍｍ、３７ｍｍ、３６ｍｍ、３５ｍｍ、３４ｍｍ、３３ｍｍ、３２ｍｍ、３１ｍｍ、３０ｍｍ、２９ｍｍ、２８ｍｍ、２５ｍｍ、２４ｍｍ、２３ｍｍ、２２ｍｍ、２１ｍｍ、または２０ｍｍであることが可能である。いくつかの実施形態では、この最大許容範囲ｄ１は、最大で約４０ｍｍ、または、最大で約３０ｍｍであることが可能である。いくつかの実施形態では、例えば、概して図３に示されているように、最大許容範囲ｄ１は、約０ｍｍであるか、または、約０ｍｍから約５ｍｍにあることが可能である。いくつかの実施形態では、フレクシャー・ジョイント４０の長さの少なくとも一部分の最も前方の部分は、（クラブ・ヘッドが水平方向の地面の上に所定のロフト／ライ角に保持されているときに、ホーゼル／シャフトの長手方向軸線を含有する垂直方向の平面によって画定されるときに）ホーゼル３０の前方に位置付けされ得る。
【００２６】
フレクシャー・ジョイント４０は、概して、それがフェース１２の外周囲２０の最も近い部分に対しておおよそ平行になるように配向され得る。例えば、フレクシャー・ジョイント４０がソール３４の中に位置付けされている場合には、ジョイント４０は、ソール３４に直接的に隣接している周囲２０の一部分に対しておおよそ平行になっていることが可能である。逆に、フレクシャー・ジョイント４０がクラウン３２の中に位置付けされている場合には、ジョイント４０は、クラウン３２に直接的に隣接している周囲２０の一部分に対しておおよそ平行になっていることが可能である。さまざまな湾曲を有するクラブ・ヘッドによって提示される複雑性に起因して、「おおよそ平行に」という用語は、概して、ジョイント４０に沿った（例えば、ジョイント４０が外側表面２４に接するラインに沿った）すべてのポイントが、周囲の最も近いそれぞれの場所から何らかの公称距離の特定の許容範囲の中にあるということを意味することを意図している。ある実施形態では、許容範囲は、約＋／−２０ｍｍ、＋／−１９ｍｍ、＋／−１８ｍｍ、＋／−１７ｍｍ、＋／−１６ｍｍ、＋／−１５ｍｍ、＋／−１４ｍｍ、＋／−１３ｍｍ、＋／−１２ｍｍ、＋／−１１ｍｍ、＋／−１０ｍｍ、＋／−９ｍｍ、＋／−８ｍｍ、＋／−７ｍｍ、＋／−６ｍｍ、＋／−５ｍｍ、＋／−４ｍｍ、＋／−３ｍｍ、＋／−２ｍｍ、または＋／−１ｍｍであることが可能である。代替的な定義では、「おおよそ平行に」という用語は、概して、ジョイント４０を通るベスト・フィット・ライン（例えば、非連続性が外側表面２４に接するジョイントの部分を通るベスト・フィット・ライン）が、ロフト平面Ｌの特定の角度の許容範囲の中にあるということを意味することを意図している。ある実施形態では、角度の許容範囲は、約＋／−２０度、＋／−１９度、＋／−１８度、＋／−１７度、＋／−１６度、＋／−１５度、＋／−１４度、＋／−１３度、＋／−１２度、＋／−１１度、＋／−１０度、＋／−９度、＋／−８度、＋／−７度、＋／−６度、＋／−５度、＋／−４度、＋／−３度、＋／−２度、または＋／−１度であることが可能である。
【００２７】
ストライク・フェース１２に対してより平行な関係にジョイント４０を配向させることは、インパクト時にヒール３８からトウ３９へより均一なフェース撓みを提供する効果を有することが可能である。その理由は、概して、ジョイント４０がフェース１２のより近くに持って行かれるにつれて、撓みが増加するからである。いくつかの実施形態では、わずかなスキュー（上記の許容範囲内の）が、ドロー・バイアスされたまたはフェード・バイアスされたダイナミック応答を提供するために組み込まれ得る。同様に、いくつかの実施形態では、ジョイント４０のより中心に位置付けされている部分は、ヒール／トウのより近くにある部分よりも、フェース１２の近くにあることが可能である（すなわち、ジョイント４０は、フェース１２から見たときに凸形の湾曲を有することが可能である）。そのような前部から後部への／凸形のジョイント湾曲は、フェース１２の幾何学的な中心の最も近くのインパクトに関して、より多くの屈曲を可能にし、一方、中心を外れたインパクトに関して、より硬い応答を提供する。
【００２８】
ジョイントの配向に加えて、ジョイント４０の長さ４８（外側表面２４に沿って測定される）は、クラブのインパクト応答の性質に影響を及ぼすことが可能である。フレクシャー・ジョイント４０の長さ４８を増加させることは、インパクト時のストライク・フェース１２の撓みの増加を可能にし、それは、ボール打ち出し性能を改善させることが可能である。追加的に、フレクシャー・ジョイント４０がソール３４またはクラウン３２の中に位置付けされているときに、増加した長さは、フェース１２の中心または従来の「スイート・スポット」から離れているインパクトに関して、ボールへの増加したエネルギーおよび速度の伝達を実現することが可能である。ほとんどの実施形態では、フレクシャー・ジョイント４０は、約２５ｍｍから約１２５ｍｍの、または、約５０ｍｍから約１００ｍｍの、または、約２５ｍｍから約３０ｍｍの、３０ｍｍから４０ｍｍの、４０ｍｍから５０ｍｍの、５０ｍｍから６０ｍｍの、６０ｍｍから７０ｍｍの、７０ｍｍから８０ｍｍの、８０ｍｍから９０ｍｍの、９０ｍｍから１００ｍｍの、１００ｍｍから１１０ｍｍの、１１０ｍｍから１２０ｍｍの、または、１２０ｍｍから１３０ｍｍの長さ４８を有することが可能である。
【００２９】
上述のように、典型的なインパクトに関する撓みの最大量は、また、インパクト応答の性質を制御する際の因子である。最大撓みが大き過ぎる場合には、ボールがボール打撃表面１８から跳ね返るときに、フェース１２は、依然として後方に変形している可能性がある。これは、より劇的な変化をダイナミック・ロフトに引き起こす可能性があり、一方、より少ないエネルギーをボールに伝達して戻し、より少ないボール速度を結果として生じさせる。比較的により低い最大量の撓みを有する設計では、クラブ・フェースは、ボールが最大圧縮を経験するポイントのより近くにおいて、その最大撓みのポイントに到達することが可能である。そのようは場合には、フェースおよびボールは、両方とも一緒に跳ね返ることが可能であり（すなわち、建設的な共振）、したがって、ボールへのより大きいエネルギーの伝達を結果として生じさせる。
【００３０】
図２〜図１２は、修正されたインパクト応答をクラブ・フェース１２に提供することができるフレクシャー・ジョイント４０の２つの異なる実施形態に関する変形例を図示している。図２〜図７では、第１のフレクシャー・ジョイント５０が図示されており、第１のフレクシャー・ジョイント５０は、概して、外側表面２４からクラブ・ヘッド１０の後部部分３７に向けて傾斜している。次いで、図８〜図１２は、第２のフレクシャー・ジョイント５２の例を示しており、第２のフレクシャー・ジョイント５２は、概して、外側表面２４からストライク・フェース１２に向けて傾斜している。それぞれのケースでは、例えば、概して図４および図９に示されているように、インパクトの間に、インパクト表面４２は、反作用表面４４に沿って局所的に並進しようとすることとなり、それは、反作用表面４４および後方本体部１４の対応する弾性的な変位を引き起こすことが可能である。別段の記載がない限り、「反作用表面４４に沿ったインパクト表面４２の並進」は、２つの表面の間の位置の相対的な変化の表現であり、必ずしも、クラブ・ヘッド１０の他の部分に対するインパクト表面４２の任意の特定の運動を暗示することを意味するわけではないということが留意されるべきである。
【００３１】
図２および図３は、概して、フェース１２と第１のフレクシャー・ジョイント５０との間に異なってサイズ決めされた分離部分４６を有する、２つのクラブ・ヘッド設計を図示している。より具体的には、図２の中の分離部分４６は、約５ｍｍから約５０ｍｍの、または、約１０ｍｍから約４０ｍｍの、または、さらには、約２０ｍｍから約３０ｍｍの、ストライク・フェース１２の最も隣接する周囲２０と、ジョイント４０、インパクト表面４２、および／または反作用表面４４が外側表面２４に接する場所との間の公称幅５４を有することが可能である。逆に、図３に図示されている実施形態は、無視できる幅、および／または、約０ｍｍから約５ｍｍの幅を有する分離部分４６を提供している。別の言い方をすれば、図３に示されているフレクシャー・ジョイント５０は、おおよそストライク・フェース１２の外周囲２０において、および／または、ロフト平面Ｌの上において、もしくは、ロフト平面Ｌの非常に近くにおいて、外側表面２４に接している。
【００３２】
上述のように、図４は、概して、フェース１２とゴルフ・ボール５８との間のインパクトの間の変形した状態５６で、図２のフレクシャー・ジョイント５０を図示している（変形していない状態６０が、仮想線で示されている）。示されているように、フレクシャー・ジョイント５０に最も近いフェース１２の部分６２は、最大の変形を経験することが可能であり、一方、ジョイント５０からより遠くにあるフェース１２の部分６４は、比較的により低い量の変形を経験することが可能である。概して図示されているように、ジョイント５０のインパクト表面４２は、後方方向に円弧状になっていることが可能であり、それは、反作用表面４４がジョイント４０の角度に起因して外向きに弾性的に変形することを引き起こすことが可能である。この応答を達成するために、反作用表面４４は、インパクトの間にインパクト表面４２を邪魔するために十分に大きい斜めの角度で、外側表面に接するべきである。その角度が図４のジョイントにおいてあまりに浅かったとすれば、フェース１２は、インパクトの間に全く支持されていない一部分を有する可能性があり、それは、他の設計の課題を提示する可能性がある。１つの実施形態では、反作用表面は、外側表面２４に対して約３０度から約７０度の角度を形成する部分を含むべきである。最大撓み限界は、この角度を変更することによって変化させられ得る。この角度が急になればなるほど、抵抗が大きくなることとなり（すなわち、より低い最大撓み限界）、一方、より浅い角度は、抵抗を小さくすることとなり、より大きい量の許容可能な撓みを提供することとなる。
【００３３】
図５は、図３と同様の実施形態を示しているが、機械的なストップ７０を含んでおり、機械的なストップ７０は、反作用表面４４に対するインパクト表面４２の全体的な並進／変位を制限することが意図されている。そのような設計は、クラブ・ヘッド耐久性を改善させることが可能であり、また、塑性変形またはほぼ塑性変形を結果として生じさせる可能性があるほど厳しいインパクトに対して、最終的なフェイルセーフを提供することが可能である。いくつかの実施形態では、この機械的なストップ７０は、さまざまな最大撓みを可能にするように調節可能であり得る。例えば、機械的なストップ７０は、スクリューに取り付けられ得、スクリューは、ストップの高さを変化させること、または、ストップが前後方向トラックに沿って並進およびロックされることを可能にすることのいずれかを行うことが可能である。
【００３４】
図２〜図５は、概して、２つの線形に嵌合する表面を含むフレクシャー・ジョイント４０を図示しているが、図６は、概して、湾曲したインパクト表面７２を有する変形例を図示している。インパクト表面を湾曲させることは、合計の接触面積を低減させることによって、インパクト表面７２と反作用表面４４との間の接触摩擦を低下させる実用的な効果を有することが可能である。これは、より効率的な弾性的な力の伝達、摩擦に対してより少ないエネルギー喪失、および、同様の大きさのインパクトに関して潜在的により大きい撓みを結果として生じさせることが可能である。いくつかの実施形態では、例えば、図６に示されているように、湾曲したインパクト表面７２は、また、それ自身のスプリング特質を付与することが可能であり、それは、反作用表面４４のより小さい移動に関して、比較的により大きい復元力を提供することを補助することが可能である。いくつかの実施形態では、曲率半径は、約３ｍｍから約４０ｍｍにあるか、または、約１０ｍｍから約３０ｍｍにあるか、または、さらには、約１５ｍｍから約２５ｍｍにあることが可能である。いくつかの実施形態では、曲率半径は、約５ｍｍから約１０ｍｍ、または約１０ｍｍから約１５ｍｍ、１５ｍｍから２０ｍｍ、２０ｍｍから２５ｍｍ、２５ｍｍから３０ｍｍ、３０ｍｍから３５ｍｍ、または３５ｍｍから４０ｍｍにあることが可能である。同様に、曲率半径は、上述の範囲のいずれかの中で、表面を横切って変化することが可能である。そのような実施形態は、同様に、例えば図５に示されているように、機械的なストップ７０とともに使用され得る。
【００３５】
図７は、概して、ボールおよびソケットと同様に、湾曲したインパクト表面８０および湾曲した反作用表面８２の両方を有するフレクシャー・ジョイント５０を備えたクラブ・ヘッド１０の実施形態を図示している。いずれの表面も、必ずしも、一定の曲率半径を有しているわけではないが、一般に、インパクト表面８０の湾曲は、反作用表面８２の湾曲よりもきつくなっている。いくつかの実施形態では、これは、インパクト表面８０の平均曲率半径Ｒ１が、反作用表面８２の平均曲率半径Ｒ２よりも小さくなっているということを意味し得る。例えば、Ｒ１は、約２ｍｍから約２５ｍｍ、または、約５ｍｍから約１５ｍｍ、または、さらには、約８ｍｍから約１０ｍｍにあることが可能であり、一方、Ｒ２がＲ１よりも大きくなるように選択される限りにおいて、Ｒ２は、約６ｍｍから約４０ｍｍ、または、約１０ｍｍから約１５ｍｍにあることが可能である。
【００３６】
表面をこのように輪郭決めすることによって、インパクト時のフェース撓みは、より完全にチューニングされ得る。例えば、反作用表面８２の湾曲は、ボール打撃表面１８からの距離が増加するにつれてきつくなる／増加することが可能である。このように、フレクシャー・ジョイント５０は、フェース撓みの増加につれて、次第により硬くなることが可能である。最大撓み限界は、反作用表面８２の上をスライドするインパクト表面８０の抵抗を上昇または低下させることによって変更させられ得る。反作用表面８２の湾曲が垂直方向に素早く曲がれば曲がるほど、抵抗は大きくなることとなる。さらに図７に示されているように、いくつかの実施形態では、反作用表面８２の一部分８４は、インパクト表面８０の前に延在することが可能である。そのような設計は、レスト時にクラブ・ヘッド１０の滑らかな前方フェースをより良好に提供することが可能であり、インパクトの直後の任意のフェースの跳ね返り／行き過ぎをさらに拘束することが可能である。
【００３７】
上述のように、図８〜図１２は、第２のフレクシャー・ジョイント５２に関する変形例を示しており、それは、概して、外側表面２４からストライク・フェース１２に向けて傾斜している。図８のゴルフ・クラブ・ヘッド１０は、異なって配向されているフレクシャー・ジョイント５２を除いて、図２に図示されているものと実質的に同様である。次いで、図９は、フェース１２とゴルフ・ボール５８との間のインパクトの間の変形した状態９０で、図８のジョイント５２を図示している（変形していない状態９２が、仮想線で示されている）。示されているように、この幾何学形状は、本体部１４の外側表面２４がフレクシャー・ジョイント５２に近接して内向きに変形または屈曲することを促進することが可能である（一方、従来のクラブ・ヘッドは、インパクト時にこのエリアにおいて外向きにしなる傾向がより強い）。図４に図示されているフレクシャー・ジョイントと同様に、フレクシャー・ジョイント５２に最も近いフェース１２の部分６２は、最大の変形を経験することが可能であり、一方、ジョイント５２からより遠くにあるフェース１２の部分６４は、比較的により低い量の変形を経験することが可能である。概して図示されているように、ジョイント５２のインパクト表面４２は、概して、インパクト時に内向きに円弧状になっていることが可能であり、それは、反作用表面４４が内向きにアーチ形になりながら相対的に並進することを引き起こすことが可能である。
【００３８】
図１０は、図８と同様の実施形態を示しているが、機械的なストップ９４を含んでおり、機械的なストップ９４は、反作用表面４４に対するインパクト表面４２の全体的な並進／変位を制限することが意図されている。そのような設計は、クラブ・ヘッド耐久性を改善させることが可能であり、また、塑性変形またはほぼ塑性変形を結果として生じさせる可能性があるほど厳しいインパクトに対して、最終的なフェイルセーフを提供することが可能である。いくつかの実施形態では、この機械的なストップ７０は、さまざまな最大撓みを可能にするように調節可能であり得る。例えば、機械的なストップ７０は、スクリューに取り付けられ得、スクリューは、ストップの高さを変化させること、または、ストップが前後方向トラックに沿って並進およびロックされることを可能にすることのいずれかを行うことが可能である。
【００３９】
図１１は、概して、湾曲した反作用表面９６以外は、図８と同様の実施形態を図示している。反作用表面９６を湾曲させることは、合計の接触面積を低減させることによって、インパクト表面４２と反作用表面９６との間の接触摩擦を低下させる実用的な効果を有することが可能である。これは、より効率的な弾性的な力の伝達を結果として生じさせることが可能であり、摩擦に対してより少ないエネルギー喪失を伴う。いくつかの実施形態では、例えば、図１１に示されているように、湾曲した反作用表面９６は、また、インパクトの間のそれ自身のスプリング特質を付与することが可能であり、それは、反作用表面９６のより小さい移動に関して、比較的により大きい復元力を提供することを補助することが可能である。
【００４０】
図１２は、概して、湾曲したインパクト表面９８および湾曲した反作用表面１００の両方を有するフレクシャー・ジョイント５２を備えたクラブ・ヘッド１０の実施形態を図示している。いずれの表面も、必ずしも、一定の曲率半径を有しているわけではないが、一般に、反作用表面１００の湾曲は、インパクト表面９８の湾曲よりもきつくなっている。いくつかの実施形態では、これは、インパクト表面９８の平均曲率半径Ｒ１が、反作用表面１００の平均曲率半径Ｒ２よりも大きくなっているということを意味し得る。表面をこのように輪郭決めすることによって、インパクト時のフェース撓みは、より完全にチューニングされ得る。例えば、インパクト表面９８の湾曲は、ボール打撃表面１８からの距離が減少するにつれてきつくなる／増加することが可能である。このように、フレクシャー・ジョイント５２は、フェース撓みの増加につれて、次第により硬くなることが可能である。
【００４１】
いくつかの実施形態では、インパクト表面４２および反作用表面４４のうちの一方または両方は、フレクシャー・ジョイント４０の耐久性および性能を強化するために、ポリマーによってコーティングされ得る。より具体的には、インパクト表面４２および反作用表面４４の両方が金属から作製されているとすれば、表面同士の間の反復的な並進は、かじりおよび／または表面の焼き付きを結果として生じさせる可能性がある。適切な耐摩耗性のポリマーが、概して、エンジニアリング・プラスチックとして分類され得、ポリオキシメチレン（ＰＯＭ／アセタール）、ポリテトラフルオロエチレン（ＰＴＦＥ）、ＰＴＦＥが充填されたアセタール、ポリフェニレンサルファイド（ＰＰＳ）、および／または、特定のクラスのポリアミド、例えば、ＰＡ６もしくはＰＡ６６などを含むことが可能である。これらのクラスのポリマーは、本設計の機能性を補助し得る、低い表面エネルギー、低い摩擦、耐久性のある仕上げを提示することが可能である。そのようなポリマー層は、すべての設計において必要であるというわけではないが、随意的に、本明細書で説明されている設計のいずれかにおいて利用され得る。図１３は、例えば、図３に提供されているものと同様のジョイント４０とともに使用されるものなど、このポリマー層１０２の実施形態を概略的に図示している。示されているように、ポリマー層１０２は、ジョイント表面に対して垂直に測定される厚さ１０４を有することが可能である。いくつかの実施形態では、厚さ１０４は、約０．１ｍｍから約５．０ｍｍ、または、約０．２ｍｍから約１．０ｍｍ、または、約０．１ｍｍから約０．２ｍｍ、０．２ｍｍから０．４ｍｍ、０．４ｍｍから０．６ｍｍ、０．６ｍｍから０．８ｍｍ、０．８ｍｍから１．０ｍｍ、１．０ｍｍから１．５ｍｍ、１．５ｍｍから２．０ｍｍ、または、２．０ｍｍから２．５ｍｍにあることが可能である。
【００４２】
図１４〜図１５は、フレクシャー・ジョイント１１０の実施形態を図示しており、それによって、フレクシャー・ジョイントの２つの表面は、インパクトの間に互いに沿って直接的に並進しない。その代わりに、幾何学的な構成に起因して、より後方に位置付けされている表面１１２（ストライク・フェース１２と直接的に連通している）が、インパクトの間に、より前方に位置付けされている本体部表面１１４から物理的に分離している。この実施形態では、２つの表面が互いに接触し始め、液体または破片が内部体積１６に進入することを防止することが好ましい。そのような設計は、ジョイント１１０の反対側のフェース周囲の材料強度に完全に依存し、インパクトの間の最大許容可能な変形を制限する。いくつかの実施形態では、例えば、図１４に概略的に示されているように、表面１１２、１１４のうちの一方または両方は、機械的なストップ１１６を含むことが可能であり、機械的なストップ１１６は、何らかの所定の意図した量を超えて撓むストライク・フェース１２の能力を妨げるかまたは干渉する。
【００４３】
図１６〜図１９は、混合材料クラブ・ヘッド１４０の実施形態を図示しており、それは、わずかに異なる配置ではあるが、上記に説明されているフレクシャー・ジョイント概念を組み込んでいる。より具体的には、これらの実施形態では、本体部１４は、反作用壁部１４２を含み、反作用壁部１４２は、ストライク・フェース１２の後部表面２２と直接的に同一平面上の接触をした状態になっている。フレクシャー・ジョイント１４４は、フェース１２と反作用壁部１４２との間に形成されており、ストライク・フェース１２の後部表面２２が前方インパクト表面４２を形成し、反作用壁部１４２の前部表面が反作用表面４４を形成し、および、フェースの幅／厚さが分離部分４６を形成するようになっている。
【００４４】
さらに図１６〜図１９に示されているように、混合材料クラブ・ヘッド１４０は、クラウン３２およびソール３４を含み、フェース１２と本体部１４との間に内部体積１６を画定している。これらの実施形態では、フェース１２は、クラウン３２およびソール３４のうちの一方と一体的に形成されており、一方、反作用壁部１４２は、他方と一体的に形成されている。例えば、図１６〜図１８に示されている実施形態では、フェース１２は、ソール３４と一体的に形成されており、反作用壁部１４２は、クラウン３２と一体的に形成されている。逆に、図１９に示されている実施形態では、フェース１２は、クラウン３２と一体的に形成されており、反作用壁部１４２は、ソール３４と一体的に形成されている。
【００４５】
ゴルフ・ボール５８とストライク・フェース１２との間のインパクトの間に、例えば、図１８に示されているように、フェースは、内向きに撓むことが可能であり、支持されていない／自由端部１４６が、本体部１４に一体的に固定されている端部１４８よりも比較的に多く撓む状態になっている。フェース１２のこの撓みは、概して、フェース１２の後部表面２２が反作用表面４４の一部分に沿って並進することを引き起こし、それは、伝えられたインパクト力に応答して、それ自身の弾性的な変形を受けることが可能である。いくつかの実施形態では、反作用壁部１４２は、ストライク・フェースの後部表面２２の面積の少なくとも約３０％をカバーし、および／または、接触した状態になっていることが可能である。いくつかの実施形態では、反作用壁部１４２は、後部表面２２の面積の約３０％から約６０％に接触した状態になっており、いくつかの実施形態では、反作用壁部１４２は、後部表面２２の面積の約５０％から約６０％に接触した状態になっている。
【００４６】
１つの構成では、フェース１２およびその一体的に形成された本体部部分（すなわち、ソール３４およびクラウン３２のうちの一方）は、金属から形成されており、一方、反作用壁部１４２およびその一体的に形成された本体部部分（すなわち、ソール３４およびクラウン３２のうちの他方）は、ポリマーから形成されている。そのような構成は、金属ストライク・フェース１２のインパクト耐久性を有するクラブ・ヘッドを依然として提供しながら、反作用壁部１４２からのより弾性的な応答を可能にすることができる。追加的に、本体部１４の一部分をポリマーから作製することによって、反作用壁部１４２の存在に起因して生じる任意の追加的な重量が、比較的により軽いポリマー製の本体部部分によってオフセットされ得る。
【００４７】
いくつかの実施形態では、ポリマー製の本体部部分（すなわち、反作用壁部１４２と一体化している部分）は、流動可能な熱可塑性の材料から形成される射出成形されたコンポーネントであることが可能である。いくつかの実施形態では、この熱可塑性の材料は、エンジニアリング・プラスチック、例えば、ポリフェニレンサルファイド（ＰＰＳ）またはポリアミドなど、例えば、ＰＡ６またはＰＡ６６などを含むことが可能である。ＰＰＳは、金属のような応答を有するその独自の音響特性に起因して、好適な材料であることが可能である。いくつかの実施形態では、ポリマーは、充填されたポリマーであることが可能であり、それは、コンポーネントの全体を通して分配された複数の非連続的なガラス、炭素、アラミド、またはＰＴＦＥ繊維を含むことが可能である。いくつかの実施形態では、異なるポリマーが、反作用表面４４の上に共成形および／またはインサート成形され得、インパクト時における相対的な並進を推進する、より低い摩擦コーティングを提供する。このポリマーは、ポリオキシメチレン（ＰＯＭ／アセタール）、ポリテトラフルオロエチレン（ＰＴＦＥ）、ＰＴＦＥが充填されたアセタール、ＰＰＳ、および／または、特定のクラスのポリアミド、例えば、ＰＡ６もしくはＰＡ６６などを含むことが可能であり、図１３を参照して上記に説明されているものと同様であることが可能である。
【００４８】
いくつかの実施形態では、ポリマー製の本体部部分は、その代わりに、繊維強化複合材料から形成され得る。適切な繊維は、ガラス、炭素、またはアラミド繊維を含むことが可能であり、コンポーネントの大部分の上に連続的に延在することが可能である。繊維は、熱硬化性樹脂または熱可塑性樹脂を含むことができるポリマーの中に埋め込まれ得る。低摩擦ポリマーが反作用表面４４の上に使用されている実施形態では、コンポーネントのポリマー・マトリックスは、熱可塑性のものであることが可能であり、それは、反作用表面４４をコーティングするために使用されるベース樹脂の少なくとも５％を含むことが可能である。そうすることは、低摩擦コーティングと反作用壁部１４２との間の耐久性のある接着を推進することが可能である。１つの実施形態では、このベース熱可塑性樹脂は、ＰＯＭ／アセタール、ＰＰＳ、および／または、特定のクラスのポリアミド、例えば、ＰＡ６もしくはＰＡ６６などを含むことが可能である。
【００４９】
図１７および図１９にさらに示されているように、この混合材料クラブ・ヘッド１４０のいくつかの実施形態では、ポリマー製のコンポーネント１５０（すなわち、反作用壁部１４２および一体的に形成された本体部部分を含む）は、外側金属製のコンポーネント１５２（すなわち、ストライク・フェース１２およびその一体的に形成された本体部部分を含む）の中に入れ子にされ得る。この入れ子にされた関係は、なかでも、ポリマー製のコンポーネント１５０の外側壁部１５４を、金属製のコンポーネント１５２の嵌合する周囲壁部１５６の中に挿入することを伴う。このように、反作用壁部１４２がストライク・フェース１２によって内向きに圧縮されるときに、ポリマー製のコンポーネント１５０の外側壁部１５４は、金属製のコンポーネント１５２の壁部１５６によって拘束され得、それは、初期のインパクト圧縮の後に、フェース１２を復元することを補助することが可能である。次いで、ポリマー製のコンポーネント１５０は、例えば、クラウン３２がソール３４に接する（すなわち、ポリマー製のコンポーネント１５０が金属製のコンポーネント１５２の内側に入れ子にされる）、クラブ・ヘッド１０の周囲の周りで、２つのコンポーネントの間に配設されている接着剤を介して、金属製のコンポーネント１５２に固定され得る。しかし、接着剤は、ストライク・フェース１２と反作用壁部１４２との間に適用されておらず、インパクト時にこれらの表面が並進することを可能にするということが重要である。
【００５０】
上記に説明されているそれぞれの実施形態では、本設計は、バランスのとれていない構造的サポートを備えたフェースを可能にすることができる。そうする際に、インパクト時のフェースの挙動は、フェード／ドロー傾向を調節するために、クラブ・ヘッド１０のダイナミック・ロフトを増加もしくは減少させるために、または、インパクトに続いて結果として生じるボール・スピンを増加もしくは減少させるために、チューニングされ得る。実施形態のうちのいくつかは、壁部の厚さを通して角度を付けられている、クラブ・ヘッド１０の本体部１４の中の非連続性を組み込んでいる。そうする際に、非連続性の２つのサイド（すなわち、インパクト・サイド、および、反作用サイド）は、互いに対して並進するように促進させられ、一方、非連続性を通る接触力は、また、本体部１４の中に横断方向の弾性的な変形を誘発させる。この応答は、チューニング可能な弾性的なフェース変形を提供し、それは、インパクトされたボールの結果として生じる打ち出しも調節しながら、インパクトの効率を改善させる。
【００５１】
利益を適正に現実化するために（すなわち、フレクシャー・ジョイントが、意図したように応答するために十分な力／応力を経験するために）、ジョイント４０は、好ましくは、ストライク・フェース１２の約４０ｍｍ以内に位置付けされている。摩擦を低減させ、および／または、かじりを防止するために、ポリマーがジョイント４０の中に使用される場合には、そのポリマーが、ＡＳＴＭ  Ｄ２２４０によるＳｈｏｒｅ  Ｄ硬度スケールに関して測定される、少なくとも約５０Ｄ、または、少なくとも約６０Ｄ、または、より好ましくは、少なくとも約７０Ｄ、または、さらには、少なくとも約８０Ｄの硬度を有することが好ましい。
【００５２】
１つまたは複数の特許請求されている要素の交換は、再構築を構成し、修理を構成しない。追加的に、利益、他の利点、および、課題に対する解決策は、特定の実施形態に関して説明されてきた。しかし、利益、利点、課題に対する解決策、および、任意の利益、利点、または解決策が起こることまたはより顕著になることを引き起こす任意の１つまたは複数の要素は、そのような利益、利点、解決策、または要素がそのような請求項の中に明示的に述べられていなければ、請求項のいずれかまたはすべての重要な、必要な、または、必須の特徴または要素として解釈されるべきではない。
【００５３】
ゴルフに対するルールは、ときどき変化する可能性があるので（例えば、全米ゴルフ協会（ＵＳＧＡ）、ロイヤル・アンド・エンシェント・ゴルフ・クラブ・オブ・セント・アンドリュース（Ｒ＆Ａ）などのような、ゴルフ標準化組織および／または運営団体によって、新しい規制が採用される可能性があり、または、古いルールが排除もしくは修正される可能性がある）、本明細書で説明されている装置、方法、および製品に関係するゴルフ機器は、任意の特定の時間におけるゴルフのルールに適合している可能性もあり、または、適合していない可能性もある。したがって、本明細書で説明されている装置、方法、および製品に関連するゴルフ機器は、適合しているかまたは適合していないゴルフ機器として、宣伝され、販売の申し出がされ、および／または、販売される可能性がある。本明細書で説明されている装置、方法、および製品は、この点において限定されていない。
【００５４】
上記の例は、アイアン・タイプのゴルフ・クラブに関連して説明されている可能性があるが、本明細書で説明されている装置、方法、および製品は、ドライバー・ウッド・タイプのゴルフ・クラブ、フェアウェイ・ウッド・タイプのゴルフ・クラブ、ハイブリッド・タイプのゴルフ・クラブ、アイアン・タイプのゴルフ・クラブ、ウェッジ・タイプのゴルフ・クラブ、または、パター・タイプのゴルフ・クラブなどのような、他のタイプのゴルフ・クラブにも適用可能であり得る。代替的に、本明細書で説明されている装置、方法、および製品は、ホッケー・スティック、テニス・ラケット、釣り竿、スキーのストックなどのような、他のタイプのスポーツ機器にも適用可能であり得る。
【００５５】
そのうえ、本明細書で開示されている実施形態および限定事項は、実施形態および／または限定事項が、（１）特許請求の範囲において明示的に特許請求されておらず、（２）均等論の下で、特許請求の範囲における明示的な要素および／もしくは限定事項の均等物であるか、または潜在的な均等物である場合、公有の原則の下で公に供されることはない。
【００５６】
本開示のさまざまな特徴および利点が、以下の条項に記載されている。
【００５７】
（条項１）
内側表面および外側表面を有する中空のゴルフ・クラブ・ヘッドであって、
ゴルフ・ボールをインパクトするように動作可能なストライク・フェースと、
前記ストライク・フェースの周囲から後方に延在する本体部と、
前記外側表面から前記内側表面へ延在するフレクシャー・ジョイントと、を備え、
前記ストライク・フェースは、前記ストライク・フェースと前記ゴルフ・ボールとの間のインパクトに応答して、前記本体部の一部分に対して局所的に変位し、
前記フレクシャー・ジョイントは、
前方インパクト表面と、
前記インパクト表面と接触した状態にある反作用表面と、を含み、
前記インパクトに応答して、前記インパクト表面は、前記反作用表面に沿って並進して前記反作用表面を弾性的に変位させ、前記ストライク・フェースのインパクトにより誘発される変位の増加を可能にする、ゴルフ・クラブ・ヘッド。
【００５８】
（条項２）
前記反作用表面は、前記インパクト表面と前記反作用表面との間の並進の量に比例する反作用力を、前記インパクト表面に付与する、条項１に記載のゴルフ・クラブ・ヘッド。
【００５９】
（条項３）
前記本体部および前記ストライク・フェースの両方は、少なくとも部分的に１つまたは複数の金属合金から形成されており、
前記インパクト表面および前記反作用表面のうちの少なくとも１つは、ポリマーによって覆われている、条項１または２に記載のゴルフ・クラブ・ヘッド。
【００６０】
（条項４）
前記ポリマーは、ポリオキシメチレンおよびポリテトラフルオロエチレンのうちの少なくとも１つを含む、条項３に記載のゴルフ・クラブ・ヘッド。
【００６１】
（条項５）
前記ストライク・フェースの変位は、前記フレクシャー・ジョイントからの距離の増加とともに減少する、条項１から４のいずれか一項に記載のゴルフ・クラブ・ヘッド。
【００６２】
（条項６）
前記本体部は、ソールおよびクラウンを画定しており、
フレクシャー・ジョイントは、前記ストライク・フェースの前記周囲に対しておおよそ平行の方向に、前記ソールの一部分を横切って延在している、条項１から５のいずれか一項に記載のゴルフ・クラブ・ヘッド。
【００６３】
（条項７）
前記本体部は、ソールおよびクラウンを画定しており、
前記フレクシャー・ジョイントは、前記ストライク・フェースの前記周囲に対しておおよそ平行の方向に、前記クラウンの一部分を横切って延在している、条項１から５のいずれか一項に記載のゴルフ・クラブ・ヘッド。
【００６４】
（条項８）
前記反作用表面は、前記ストライク・フェースによって画定される平面の約４０ｍｍ以内にある位置において、前記外側表面に接する、条項１から７のいずれか一項に記載のゴルフ・クラブ・ヘッド。
【００６５】
（条項９）
前記反作用表面は、斜めの角度で前記外側表面に接する、条項１から８のいずれか一項に記載のゴルフ・クラブ・ヘッド。
【００６６】
（条項１０）
前記内側体積の中に延在する機械的なストップをさらに備え、
前記機械的なストップは、前記反作用表面に対する前記インパクト表面の許容可能な並進の量を制限するように動作可能である、条項１から９のいずれか一項に記載のゴルフ・クラブ・ヘッド。
【００６７】
（条項１１）
前記ストライク・フェースは、ボール打撃表面と、前記ボール打撃表面の反対側にある後部表面と、を画定しており、
前記本体部は、前記ストライク・フェースの前記後部表面と接触した状態にある反作用壁部を含み、
前記ストライク・フェースの前記後部表面は、前記フレクシャー・ジョイントの前記前方インパクト表面であり、
前記反作用壁部は、前記フレクシャー・ジョイントの前記反作用表面を形成している、条項１または２に記載のゴルフ・クラブ・ヘッド。
【００６８】
（条項１２）
前記反作用壁部は、前記後部表面の面積の約３０％から約６０％と接触した状態にある、条項１１に記載のゴルフ・クラブ・ヘッド。
【００６９】
（条項１３）
前記本体部は、クラウンおよびソールを画定しており、
前記クラウンおよび前記ソールのうちの一方は、前記ストライク・フェースと一体的に形成されており、
前記クラウンおよび前記ソールのうちの他方は、前記反作用壁部と一体的に形成されている、条項１１に記載のゴルフ・クラブ・ヘッド。
【００７０】
（条項１４）
前記反作用壁部は、ポリマー材料から形成されており、
前記ストライク・フェースは、金属材料から形成されている、条項１１から１３のいずれか一項に記載のゴルフ・クラブ・ヘッド。
【００７１】
（条項１５）
混合材料ゴルフ・クラブ・ヘッドであって、
ゴルフ・ボールをインパクトするように動作可能なボール打撃表面と、前記ボール打撃表面の反対側の後部表面と、を有するストライク・フェースと、
前記ゴルフ・クラブ・ヘッドの上側部分を形成するクラウンと、
前記ゴルフ・クラブ・ヘッドの下側部分を形成するソールであって、前記クラウンおよび前記ソールは、それらの間に内部グラブ・ヘッド体積を画定する、前記ソールと、
前記ストライク・フェースの前記後部表面と同一平面上に接触した状態にある反作用壁部と、を備え、
前記クラウンおよび前記ソールのうちの一方は、前記ストライク・フェースと一体的に形成されており、
前記クラウンおよび前記ソールのうちの他方は、前記反作用壁部と一体的に形成されており、
前記ストライク・フェースは、金属から形成されており、
前記反作用壁部は、ポリマーから形成されており、
前記ストライク・フェースと前記ゴルフ・ボールとの間のインパクトに応答して、前記ストライク・フェースの前記後部表面は、同一平面上の接触を維持しながら、前記反作用壁部に沿ってスライド可能に並進する、混合材料ゴルフ・クラブ・ヘッド。
【００７２】
（条項１６）
前記ストライク・フェースを形成する第１のコンポーネントと、
前記反作用壁部を形成する第２のコンポーネントと、をさらに備え、
前記第１のコンポーネントは、前記クラウンが前記ソールに接する前記クラブ・ヘッドの周囲の周りにおいて、前記第２のコンポーネントに接着されている、条項１５に記載の混合材料ゴルフ・クラブ・ヘッド。
【００７３】
（条項１７）
前記第２のコンポーネントは、前記周囲の周りにおいて、前記第１のコンポーネントの内部に入れ子にされている、条項１６に記載の混合材料ゴルフ・クラブ・ヘッド。
【００７４】
（条項１８）
前記ストライク・フェースの前記後部表面に接触した状態にある前記反作用壁部の表面は、ポリオキシメチレンおよびポリテトラフルオロエチレンのうちの少なくとも一方を含むポリマーから形成されている、条項１５から１７のいずれか一項に記載の混合材料ゴルフ・クラブ・ヘッド。
【００７５】
（条項１９）
前記反作用壁部は、前記後部表面の面積の約３０％から約６０％と接触した状態にある、条項１５から１８のいずれか一項に記載の混合材料ゴルフ・クラブ・ヘッド。
【００７６】
前記ストライク・フェースは、前記インパクトに応答して前記反作用壁部を弾性的に変位させる、条項１５から１９のいずれか一項に記載の混合材料ゴルフ・クラブ・ヘッド。
【図１】
2020192332.tif 000003
【図２】
2020192332.tif 000004
【図３】
2020192332.tif 000005
【図４】
2020192332.tif 000006
【図５】
2020192332.tif 000007
【図６】
2020192332.tif 000008
【図７】
2020192332.tif 000009
【図８】
2020192332.tif 000010
【図９】
2020192332.tif 000011
【図１０】
2020192332.tif 000012
【図１１】
2020192332.tif 000013
【図１２】
2020192332.tif 000014
【図１３】
2020192332.tif 000015
【図１４】
2020192332.tif 000016
【図１５】
2020192332.tif 000017
【図１６】
2020192332.tif 000018
【図１７】
2020192332.tif 000019
【図１８】
2020192332.tif 000020
【図１９】
2020192332.tif 000021
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
中空のゴルフ・クラブ・ヘッドであって、
ゴルフ・ボールをインパクトするように動作可能なストライク・フェースと、
前記ストライク・フェースの周囲から後方に延在する本体部であって、前記ストライク・フェースは、前記ストライク・フェースと前記ゴルフ・ボールとの間のインパクトに応答して、前記本体部の一部分に対して局所的に変位する、前記本体部と、
インパクト表面と反作用表面とを備えているフレクシャー・ジョイントと、を備え、
前記インパクト表面は、前記インパクトに応答して前記反作用表面に対してスライドし、
前記インパクト表面と前記反作用表面の少なくとも１つは、湾曲を備えており、
前記湾曲は、変化する半径を備えており、
前記インパクト表面と前記反作用表面の少なくとも１つの前記湾曲により、前記フレクシャー・ジョイントは、前記ストライク・フェースの撓みが増加し、前記反作用表面がインパクト表面に沿って同時に並進するにつれて、徐々に硬くなる、中空のゴルフ・クラブ・ヘッド。
【請求項２】
前記インパクト表面と前記反作用表面の他方もまた、湾曲を備えており、
前記インパクト表面の前記湾曲は、前記反作用表面の前記湾曲と異なる、請求項１に記載の中空のゴルフ・クラブ・ヘッド。
【請求項３】
前記本体部は、ソールとクラウンとを画定し、
前記フレクシャー・ジョイントは、前記ソールの部分および前記クラウンの部分のいずれかを横切って延在する、請求項１または２に記載の中空のゴルフ・クラブ・ヘッド。
【請求項４】
前記反作用表面は、前記ストライク・フェースによって画定される平面の約４０ｍｍ以内にある位置において、外側表面に接する、請求項１から３のいずれかに記載の中空のゴルフ・クラブ・ヘッド。
【請求項５】
前記インパクト表面は、前記反作用表面を弾性的に変位させ、前記ストライク・フェースのインパクトにより誘発される変位の増加を可能にする、請求項１から４のいずれか一項に記載の中空のゴルフ・クラブ・ヘッド。
【請求項６】
内側表面と外側表面とを備えており、
前記内側表面は、前記ゴルフ・クラブ・ヘッドの内部に空間を画定し、
前記フレクシャー・ジョイントは、前記外側表面から前記内側表面に延在する、請求項１から５のいずれか一項に記載の中空のゴルフ・クラブ・ヘッド。
【請求項７】
前記反作用表面は、前記インパクト表面と前記反作用表面との間の並進の量に反比例する反作用力を、前記インパクト表面に付与する、請求項１から６のいずれか一項に記載の中空のゴルフ・クラブ・ヘッド。
【請求項８】
前記本体部および前記ストライク・フェースの両方は、少なくとも部分的に１つまたは複数の金属合金から形成されており、
前記インパクト表面および前記反作用表面のうちの少なくとも１つは、ポリマーによって覆われている、請求項１から７のいずれか一項に記載の中空のゴルフ・クラブ・ヘッド。
【請求項９】
前記ポリマーは、ポリオキシメチレンおよびポリテトラフルオロエチレンのうちの少なくとも１つを含む、請求項８に記載の中空のゴルフ・クラブ・ヘッド。
【請求項１０】
前記インパクト表面は、第１の平均曲率半径を備えており、
前記反作用表面は、第２の平均曲率半径を備えており、
前記第１の平均曲率半径は、前記第２の平均曲率半径よりも小さい、請求項１から９のいずれか一項に記載の中空のゴルフ・クラブ・ヘッド。
【請求項１１】
前記反作用表面は、前記ストライク・フェースからの距離が増加するにつれて、きつくなる湾曲を備える、請求項１から１０のいずれか一項に記載の中空のゴルフ・クラブ・ヘッド。
【請求項１２】
前記インパクト表面は、第１の平均曲率半径を備えており、
前記反作用表面は、第２の平均曲率半径を備えており、
前記第１の平均曲率半径は、前記第２の平均曲率半径よりも大きい、請求項１から９のいずれか一項に記載の中空のゴルフ・クラブ・ヘッド。
【請求項１３】
前記インパクト表面は、前記ストライク・フェースからの距離が増加するほど、きつくなる湾曲を備える、請求項１から１２のいずれか一項に記載の中空のゴルフ・クラブ・ヘッド。
【請求項１４】
中空のゴルフ・クラブ・ヘッドであって、
内側表面および外側表面であって、前記内側表面は、内側空間を画定する前記内側表面および前記外側表面と、
ゴルフ・ボールをインパクトするように動作可能なストライク・フェースと、
前記ストライク・フェースの周囲から後方に延在する本体部であって、前記ストライク・フェースは、前記ストライク・フェースと前記ゴルフ・ボールとの間のインパクトに応答して、前記本体部の一部分に対して局所的に変位し、ソールとクラウンとを備えている前記本体部と、
インパクト表面と反作用表面とを備えているフレクシャー・ジョイントと、を備え、
前記インパクト表面の部分と前記反作用表面の部分は、前記フレクシャー・ジョイントにおいて、前記外側表面に接する面から３０度から７０度の間の角度で傾斜しており、
前記インパクト表面の部分の少なくとも一部と前記反作用表面の部分の少なくとも一部は、前記ストライク・フェースに向かって前記外側表面から傾斜している、中空のゴルフ・クラブ・ヘッド。
【請求項１５】
前記フレクシャー・ジョイントは、前記ソールの部分および前記クラウンの部分の前記ソールの部分および前記クラウンの部分のいずれかを横切って延在する、請求項１４に記載の中空のゴルフ・クラブ・ヘッド。
【請求項１６】
前記フレクシャー・ジョイントは、前記外側表面から前記内側表面に延在する、請求項１４または１５に記載の中空のゴルフ・クラブ・ヘッド。
【請求項１７】
前記インパクト表面および前記反作用表面のうちの１つ以上の少なくとも第２の部分は、湾曲を備える、請求項１４から１６のいずれか一項に記載の中空のゴルフ・クラブ・ヘッド。
【外国語明細書】
2020192332000001.pdf
2020192332000002.pdf
2020192332000003.pdf
2020192332000004.pdf